【手続補正書】
【提出日】平成29年11月20日(2017.11.20)
【手続補正１】
【補正対象書類名】明細書
【補正対象項目名】００１３
【補正方法】変更
【補正の内容】
【００１３】
【図１】パチンコ遊技機を正面からみた正面図である。
【図２】振分装置を説明するための説明図である。
【図３】可変入賞球装置が開放状態に制御されているときに第２始動入賞口に遊技球が入賞する形態を説明するための説明図である。
【図４】遊技制御基板（主基板）の回路構成例を示すブロック図である。
【図５】演出制御基板、ランプドライバ基板および音声出力基板の回路構成例を示すブロック図である。
【図６】主基板におけるＣＰＵが実行するメイン処理を示すフローチャートである。
【図７】４ｍｓタイマ割込処理を示すフローチャートである。
【図８】あらかじめ用意された演出図柄の変動パターンを示す説明図である。
【図９】各乱数を示す説明図である。
【図１０】大当り判定テーブル、小当り判定テーブルおよび大当り種別判定テーブルを示す説明図である。
【図１１】大当り用変動パターン種別判定テーブルを示す説明図である。
【図１２】はずれ用変動パターン種別判定テーブルを示す説明図である。
【図１３】当り変動パターン判定テーブルを示す説明図である。
【図１４】はずれ変動パターン判定テーブルを示す説明図である。
【図１５】演出制御コマンドの内容の一例を示す説明図である。
【図１６】演出制御コマンドの内容の一例を示す説明図である。
【図１７】図柄指定コマンドの内容の一例を示す説明図である。
【図１８】変動カテゴリコマンドの内容の一例を示す説明図である。
【図１９】変動カテゴリコマンドの内容の一例を示す説明図である。
【図２０】特別図柄プロセス処理のプログラムの一例を示すフローチャートである。
【図２１】特別図柄プロセス処理のプログラムの一例を示すフローチャートである。
【図２２】始動口スイッチ通過処理を示すフローチャートである。
【図２３】保留特定領域および保留記憶バッファの構成例を示す説明図である。
【図２４】入賞時演出処理を示すフローチャートである。
【図２５】特別図柄通常処理を示すフローチャートである。
【図２６】特別図柄通常処理を示すフローチャートである。
【図２７】変動パターン設定処理を示すフローチャートである。
【図２８】表示結果指定コマンド送信処理を示すフローチャートである。
【図２９】特別図柄変動中処理を示すフローチャートである。
【図３０】特別図柄停止処理を示すフローチャートである。
【図３１】大当り終了処理を示すフローチャートである。
【図３２】第１先読み予告演出および第２先読み予告演出の演出態様の具体例について説明する。
【図３３】演出制御用ＣＰＵが実行する演出制御メイン処理を示すフローチャートである。
【図３４】コマンド受信バッファの構成例を示す説明図である。
【図３５】コマンド解析処理を示すフローチャートである。
【図３６】コマンド解析処理を示すフローチャートである。
【図３７】コマンド解析処理を示すフローチャートである。
【図３８】演出制御プロセス処理を示すフローチャートである。
【図３９】先読み予告演出処理を示すフローチャートである。
【図４０】第１先読み予告演出決定テーブルおよび第２先読み予告演出決定テーブルの具体例を示す説明図である。
【図４１】変動パターンコマンド受信待ち処理を示すフローチャートである。
【図４２】演出図柄変動開始処理を示すフローチャートである。
【図４３】演出図柄の停止図柄の一例を示す説明図である。
【図４４】プロセスデータの構成例を示す説明図である。
【図４５】演出図柄変動中処理を示すフローチャートである。
【図４６】演出図柄変動停止処理を示すフローチャートである。
【図４７】第１先読み予告演出および第２先読み予告演出の演出態様の具体例について説明する。
【手続補正２】
【補正対象書類名】明細書
【補正対象項目名】０２１２
【補正方法】変更
【補正の内容】
【０２１２】
特別図柄停止処理（ステップＳ３０４）：特別図柄プロセスフラグの値が４であるときに実行される。大当りフラグがセットされている場合に、内部状態（特別図柄プロセスフラグ）をステップＳ３０５に対応した値（この例では５）に更新する。また、小当りフラグがセットされている場合には、内部状態（特別図柄プロセスフラグ）をステップＳ３０８に対応した値（この例では８）に更新する。大当りフラグおよび小当りフラグのいずれもセットされていない場合には、内部状態（特別図柄プロセスフラグ）をステップＳ３００に対応した値（この例では０）に更新する。なお、この実施の形態では、特別図柄プロセスフラグの値が４となったことにもとづいて、後述するように、特別図柄表示制御処理において特別図柄の停止図柄を確定表示するための特別図柄表示制御データが特別図柄表示制御データ設定用の出力バッファに設定され、ステップＳ２２の表示制御処理において出力バッファの設定内容に応じて実際に特別図柄の停止図柄が確定表示される。
【手続補正３】
【補正対象書類名】明細書
【補正対象項目名】０３１２
【補正方法】変更
【補正の内容】
【０３１２】
主基板３１に搭載される遊技制御用マイクロコンピュータ５６０（具体的には、ＣＰＵ５６）が実行する特別図柄表示制御処理（ステップＳ３２）のプログラムの一例を示すフローチャートにおいて、特別図柄表示制御処理では、ＣＰＵ５６は、特別図柄プロセスフラグの値が３であるか否かを確認する（ステップＳ３２０１）。特別図柄プロセスフラグの値が３であれば（すなわち、特別図柄変動中処理の実行中であれば）、ＣＰＵ５６は、特別図柄変動表示用の特別図柄表示制御データを特別図柄表示制御データ設定用の出力バッファに設定または更新する処理を行う（ステップＳ３２０２）。この場合、ＣＰＵ５６は、特別図柄ポインタが示す方の特別図柄（第１特別図柄または第２特別図柄）の変動表示を行うための特別図柄表示制御データを設定または更新する。例えば、変動速度が１コマ／０．２秒であれば、０．２秒が経過する毎に、出力バッファに設定される特別図柄表示制御データの値を＋１する。そして、その後、表示制御処理（ステップＳ２２参照）が実行され、特別図柄表示制御データ設定用の出力バッファの内容に応じて特別図柄表示器８ａ，８ｂに対して駆動信号が出力されることによって、特別図柄表示器８ａ，８ｂにおける特別図柄の変動表示が実行される。
【手続補正４】
【補正対象書類名】明細書
【補正対象項目名】０４０６
【補正方法】変更
【補正の内容】
【０４０６】
次に、第１先読み予告演出および第２先読み予告演出の演出態様の具体例について説明する。図４７および図３２は、第１先読み予告演出および第２先読み予告演出の演出態様の具体例を示す説明図である。なお、図４７および図３２において、（１）（２）（３）の順に演出画面の態様が遷移する。
【手続補正５】
【補正対象書類名】明細書
【補正対象項目名】０４０８
【補正方法】変更
【補正の内容】
【０４０８】
なお、図４７および図３２において、「×」が表示されている保留表示は、第１先読み予告演出および第２先読み予告演出の予告対象の保留表示を示している。なお、図４７および図３２では、説明上、予告対象の保留表示がいずれであるかを分かりやすくするために「×」で表示しているが、保留表示の表示態様を実際に変化させることを示している訳ではない。ただし、第１先読み予告演出や第２先読み予告演出に加えて、予告対象の保留表示の表示態様を変化させる保留予告演出も実行可能に構成しても構わない。
【手続補正６】
【補正対象書類名】明細書
【補正対象項目名】０４１２
【補正方法】変更
【補正の内容】
【０４１２】
次いで、図４７（８）に示すように変動表示を終了し、図３２（９）に示すように、保留記憶を１つ消化して合算保留記憶数が５に減少し、次の変動表示を開始したものとする。ここで、第１先読み予告演出の実行が決定されている場合であるが、合算保留記憶数が再び５に増加したことから（４以下ではないことから）、第１先読み予告演出の実行が制限され（ステップＳ８００４のＮ参照）、図３２（９）に示すように、可動部材１７の可動は行われない。
【手続補正７】
【補正対象書類名】明細書
【補正対象項目名】０４１３
【補正方法】変更
【補正の内容】
【０４１３】
次いで、図３２（１０）に示すように変動表示を終了し、図３２（１１）に示すように、保留記憶を１つ消化して合算保留記憶数が４に減少し、次の変動表示を開始したものとする。ここで、第１先読み予告演出の実行が決定されているとともに、合算保留記憶数が４以下に減少したことから（ステップＳ８００４のＹ参照）、図３２（１１）に示すように、蝶の形状を模した役物である可動部材１７が羽を羽ばたかせるような態様で可動され第１先読み予告演出が実行される（ステップＳ８００５参照）。
【手続補正８】
【補正対象書類名】明細書
【補正対象項目名】０４１４
【補正方法】変更
【補正の内容】
【０４１４】
次いで、図３２（１２）に示すように変動表示を終了し、図３２（１３）に示すように、保留記憶を１つ消化して合算保留記憶数が３に減少し、次の変動表示を開始したものとする。ここで、第１先読み予告演出の実行が決定されているとともに、合算保留記憶数が４以下であることから（ステップＳ８００４のＹ参照）、図３２（１３）に示すように、蝶の形状を模した役物である可動部材１７が羽を羽ばたかせるような態様で可動され第１先読み予告演出が実行される（ステップＳ８００５参照）。
【手続補正９】
【補正対象書類名】明細書
【補正対象項目名】０４１５
【補正方法】変更
【補正の内容】
【０４１５】
次いで、図３２（１４）に示すように変動表示を終了し、図３２（１５）に示すように、予告対象の保留記憶を消化して合算保留記憶数が２に減少し、予告対象の変動表示を開始したものとする。ここで、第１先読み予告演出の実行が決定されているとともに、合算保留記憶数が４以下であることから（ステップＳ８００４のＹ参照）、図３２（１５）に示すように、蝶の形状を模した役物である可動部材１７が羽を羽ばたかせるような態様で可動され第１先読み予告演出が実行される（ステップＳ８００５参照）。
【手続補正１０】
【補正対象書類名】明細書
【補正対象項目名】０４１６
【補正方法】変更
【補正の内容】
【０４１６】
そして、その予告対象の変動表示を終了するときに、第１先読み予告演出回数カウンタの値が０となり第１先読み予告演出実行中フラグがリセットされる（ステップＳ８３０３〜Ｓ８３０６参照）とともに、第２先読み予告演出回数カウンタの値が０となり第２先読み予告演出実行中フラグがリセットされる（ステップＳ８３０７〜Ｓ８３１０参照）。そして、図３２（１６）に示すように、演出表示装置ＬＥＤ２９の発光が停止され（ステップＳ８３１１参照）、第２先読み予告演出の実行が終了される。
【手続補正１１】
【補正対象書類名】明細書
【補正対象項目名】０４１７
【補正方法】変更
【補正の内容】
【０４１７】
なお、図４７および図３２に示す例では、図４７（２）に示す同じ始動入賞の発生のタイミングで第１先読み予告演出と第２先読み予告演出との両方の実行を決定（すなわち、同じ予告対象の保留記憶に対して第１先読み予告演出と第２先読み予告演出との両方の実行を決定）する場合を示したが、この実施の形態では、１つの予告対象の保留記憶に対して第１先読み予告演出のみの実行が決定される場合もあるし、第２先読み予告演出のみの実行が決定される場合もある。また、１つの予告対象の保留記憶に対して第１先読み予告演出のみの実行が決定された後に、他の予告対象の保留記憶に対して第２先読み予告演出の実行が決定される場合もあるし、１つの予告対象の保留記憶に対して第２先読み予告演出のみの実行が決定された後に、他の予告対象の保留記憶に対して第１先読み予告演出の実行が決定される場合もある。いずれも場合であっても、この実施の形態では、上記のような処理が実行されることによって、合算保留記憶数が４以下である場合には第１先読み予告演出は実行可能であるものの第２先読み予告演出の実行は制限され、合算保留記憶数が５以上である場合には第２先読み予告演出は実行可能であるものの第１先読み予告演出の実行は制限される。
【手続補正１２】
【補正対象書類名】明細書
【補正対象項目名】０４１８
【補正方法】変更
【補正の内容】
【０４１８】
また、図４７および図３２に示す例では、第１先読み予告演出と第２先読み予告演出とで可動部材１７の可動態様が同じである場合を示したが、異なる可動態様で可動部材１７を可動させるようにしてもよい。例えば、第１先読み予告演出と第２先読み予告演出とで異なる速度で羽を羽ばたかせるような態様で可動部材１７を可動させてもよいし、可動部材１７が上下方向または左右方向にも可動可能に構成されている場合に、第１先読み予告演出と第２先読み予告演出とのうちのいずれか一方のみを上下方向または左右方向にも可動部材１７を可動させるようにしてもよい。
【手続補正１３】
【補正対象書類名】図面
【補正対象項目名】図３２
【補正方法】変更
【補正の内容】
【図３２】
2018033470.tif 000001
【手続補正１４】
【補正対象書類名】図面
【補正対象項目名】図４８
【補正方法】削除
【補正の内容】